(57)【要約】      （修正有）【課題】寝たままの姿勢にあっても着脱容易であり、装飾性の高い衣服を提供する。【解決手段】衣服の一例であるＴシャツ１０が前見頃１１と、後見頃１２と、両袖１４Ｌ、１４Ｒとを有する。前身頃１１と後見頃１２とのそれぞれは、襟部１１ａと襟部１２ａとのそれぞれを有する。Ｔシャツ１０には、横方向Ｂの一側において襟部１２ａから袖１４Ｒの後方における後見頃１２を通り、裾部にまで達していて、Ｔシャツ１０を縦断している分離部２０が形成される。分離部２０において、前身頃１１と後見頃１２とが連結部材２５、２６を介して重なり合い、分離と連結との反復が可能な状態にある。【選択図】図５
0003233572.tif 000002
【実用新案登録請求の範囲】
【請求項１】
互いに直交する前後方向と横方向と上下方向とを有し、前身頃と後見頃と一対の袖とが形成され、前記前見頃と前記後見頃とが襟部を有する衣服であって、
前記衣服は、前記横方向の一側において前記衣服を縦断して延びる分離部において前記前身頃と前記後見頃とが連結部材を介して重なり合うことによって分離と連結との反復が可能な状態にあり、
前記分離部は、前記後見頃における前記襟部に始まって、前記袖の付け根よりも後方における前記後見頃を通り、しかる後に前記袖の付け根の下方に位置する前記衣服の脇部を下降して前記衣服の裾にまで達しており、
前記分離部では、前記後見頃が内側となり、前記前身頃が外側となるように前記前後見頃が前記連結部材を介して重なり合っていることを特徴とする前記衣服。
【請求項２】
前記衣服がTシャツを含む両袖付きのシャツであって、前記分離部は、前記シャツのネックホールを形成している前記襟部のうちの前記後見頃に位置する部分に始まって、前記両袖のうちの一方の付け根よりも後方において前記後見頃を下降し、前記付け根よりも下方では前記脇部を通って下降して、前記Ｔシャツにおける前記裾にまで達している請求項１記載の衣服。
【請求項３】
前記Ｔシャツの前記前身頃には、複数のボタンが前記上下方向に間隔を空けて並んでいる請求項２記載の衣服。
【請求項４】
前記衣服が着物であって、前記前身頃は左前身頃と右前身頃とがいずれか一方を内側にし、もう一方を外側にして分離不能に重ね合わせられた状態で一体化しており、前記袖には袂が形成されており、前記分離部が前記後見頃の襟に始まり、前記袂が形成された前記袖の後方を通って前記着物の見八ツ口にまで延びたのち、前記見八ツ口の下端部から下降して前記着物の裾にまで達しており、前記前身頃と前記後見頃とが前記連結部材を介して連結されている請求項１記載の衣服。
【請求項５】
前記着物が帯状部材を着用可能に形成されており、前記帯状部材は、着用されて前方に向かって膨らんだ状態にある前記前身頃の所要部位に前記前身頃の前方から嵌合して前記所要部位を覆うことのできるほぼＵ字形の弧を画いて前記横方向に延びるものであって、前記Ｕ字形の両端部それぞれに位置する固定用第２部材を有し、前記固定用第２部材は、前記着物の前記横方向の両側それぞれに位置している固定用第１部材に着脱可能に係合する請求項４記載の着物。
【請求項６】
着用状態にある前記着物は、前記着物の胴回り方向において前記帯状部材が前記分離部と交差した状態にあって、前記固定用第２部材が前記第１固定用部材に着脱可能に係合している請求項５記載の着物。
【請求項７】
前記着物は前記前身頃と前記後見頃とを部分的に覆う袴に似せた装飾部材が取り外し不能な状態で取り付けられていて、前記装飾部材にも前記分離部が形成されている請求項４記載の着物。
【考案の詳細な説明】
【技術分野】
【０００１】
本考案は、衣服に関し、より詳しくは衣服を着用しようとする者が寝たままの状態にあっても着脱することが容易であって、しかも高い装飾効果を発揮することが可能な衣服に関する。
【背景技術】
【０００２】
衣服を着用させる対象者が寝たままの状態にあっても、その衣服の着用が容易となるように考案された衣服は公知である。
【０００３】
例えば、特許文献１に記載の介護用上着と介護用ワンピースは、ベッドや布団の上に予め開いた状態で置いておき、そのワンピースの上に要介護者を仰臥位で載せて着用させるもので、長袖の袖口から前身頃の下端部にまで延びる開閉ラインにおいて長袖から前身頃の下端部までの間を開閉することができる。また、前身頃の中央部は、袖口から下端部までが開閉可能に形成されている。
【０００４】
特許文献２記載の介護用衣服は、対照的な形状を有する前身頃と後身頃とが別体で作られていて、これら前身頃と後身頃とがそれぞれの肩部と左右両側縁部とに連結手段を有する。この衣服を着用した者は、寝たままの姿勢にあっても、連結手段を解くことによって、前身頃だけを交換したり、後身頃だけを交換したりすることができる。
【先行技術文献】
【特許文献】
【０００５】
【特許文献１】特開２０２０−７６６４号公報
【特許文献２】特開２００７−１５４３２５号公報
【考案の開示】
【考案が解決しようとする課題】
【０００６】
特許文献１，２に記載の介護用ワンピースや介護用衣服は、いわゆる実用的なものであって、寝たままの姿勢にあっても衣服を着用して着飾りたいと思う場合にふさわしいものとは言い難い。そこで、この考案では、寝たままの姿勢にあっても着脱することが容易であって、しかも着飾ることを可能にする装飾効果の高い衣服の提供を課題にしている。
【課題を解決するための手段】
【０００７】
前記課題を解決するために、本考案が対象とするのは、互いに直交する前後方向と横方向と上下方向とを有し、前身頃と後見頃と一対の袖とが形成され、前記前見頃と前記後見頃とが襟部を有する衣服である。
かかる衣服において、本考案が特徴とするところは、次のとおりである。すなわち、前記衣服は、前記横方向の一側において前記衣服を縦断して延びる分離部において前記前身頃と前記後見頃とが連結部材を介して重なり合うことによって分離と連結との反復が可能な状態にある。前記分離部は、前記後見頃における前記襟部に始まって、前記袖の付け根よりも後方における前記後見頃を通り、しかる後に前記袖の付け根の下方に位置する前記衣服の脇部を下降して前記衣服の裾にまで達している。前記分離部では、前記後見頃が内側となり、前記前身頃が外側となるように前記前後見頃が前記連結部材を介して重なり合っている。
【０００８】
本考案の実施態様の一つにおいて、前記衣服がTシャツを含む両袖付きのシャツであって、前記分離部は、前記シャツのネックホールを形成している前記襟部のうちの前記後見頃に位置する部分に始まって、前記両袖のうちの一方の付け根よりも後方において前記後見頃を下降し、前記付け根よりも下方では前記脇部を通って下降して、前記Ｔシャツにおける前記裾にまで達している。
【０００９】
本考案の実施態様の他の一つにおいて、前記Ｔシャツの前記前身頃には、複数のボタンが前記上下方向に間隔を空けて並んでいる。
【００１０】
本考案の実施態様の他のさらに他の一つにおいて、前記衣服が着物であって、前記前身頃は左前身頃と右前身頃とがいずれか一方を内側にし、もう一方を外側にして分離不能に重ね合わせられた状態で一体化しており、前記袖には袂が形成されており、前記分離部が前記後見頃の襟に始まり、前記袂が形成された前記袖の後方を通って前記着物の見八ツ口にまで延びたのち、前記見八ツ口の下端部から下降して前記着物の裾にまで達しており、前記前身頃と前記後見頃とが前記分離部において前記連結部材を介して重なり合っている。
【００１１】
本考案の実施態様のさらに他の一つにおいて、前記着物が帯状部材を着用可能に形成されており、前記帯状部材は、着用されて前方に向かって膨らんだ状態にある前記前身頃の所要部位に前記前身頃の前方から嵌合して前記所要部位を覆うことのできるほぼＵ字形の弧を画いて前記横方向に延びるものであって、前記Ｕ字形の両端部それぞれに位置する固定用第２部材を有し、前記固定用第２部材は、前記着物の前記横方向の両側それぞれに位置している固定用第１部材に着脱可能に係合する。
【００１２】
本考案の実施態様のさらに他の一つにおいて、着用状態にある前記着物では、前記着物の胴回り方向において前記帯状部材が前記分離部と交差した状態にあって、前記固定用第２部材が前記第１固定用部材に着脱可能に係合している。
【００１３】
本考案の実施態様のさらに他の一つにおいて、前記着物は前記前身頃と前記後見頃とを部分的に覆う袴に似せた装飾部材が取り外し不能な状態で取り付けられていて、前記装飾部材にも前記分離部が形成されている。
【考案の効果】
【００１４】
本考案に係る衣服は、前身頃と後身頃とが、その衣服の両側のうちの一側においては一体となり、両側のうちの他側では、袖のつけ根よりも後方における後見頃を通って衣服を縦断するように延びる分離部においての分離と連結との繰り返しが可能な状態にあるから、例えば、その衣服を着用しようとする者が仰向けになって寝ていても、介護者の手を借りれば両袖に手を通すことができる。その後に、衣服を着用しようとする者が横臥の姿勢をとれば、衣服の後見頃を背中に広げることができる。そこで、その者が再び仰向けになれば、衣服の前記他側を背中側から引き出すことができて、前身頃と後見頃とで身体を覆うことができる。その前身頃と後見頃とを分離部において連結させれば、衣服の着用が簡単に終了する。
【００１５】
また、この衣服では、上方から下方に向かって延びる分離部が後見頃と脇部を通って衣服の下端である裾にまで達するように形成されていて、脇部では後見頃が内側となり、前身頃が外側となるようにこれら両部位が重なり合っている。このような状態にある本考案の衣服では、その衣服を前身頃の前方から見たときに、分離部の存在が全く見えないか、目立ちにくい状態にあり、それを見るものに対して、特殊な構造の衣服であるという印象を与えることがない。それゆえ、本考案に係る衣服は、構造的な特徴と相まって、着用者に対する衣服本来の高い装飾効果を発揮することができる。
【図面の簡単な説明】
【００１６】
図面は、本開示に係る本考案の特定の実施の形態を示し、考案の不可欠な構成ばかりでなく、選択的及び好ましい実施の形態を含む。
【図１】衣服の一例であるＴシャツの正面図。
【図２】Ｔシャツの背面図。
【図３】図２のＩＩＩ−ＩＩＩ線切断面を示す図。
【図４】図２のＩＶ−ＩＶ線切断面を示す図。
【図５】前身頃の一部分を反転させたときのＴシャツの正面図。
【図６】衣服の一例である着物の正面図。
【図７】着物の背面図。
【図８】帯部材が外してある着物の図６と同様な図。
【図９】帯部材が外してある着物の図７と同様な図。
【図１０】図９のＸ−Ｘ線断面の模式的な図。
【図１１】図８のＸＩ−ＸＩ線断面の模式的な図。
【図１２】（ａ）は帯部材の正面図、（ｂ）は（ａ）におけるＸＩＩ（ｂ）−ＸＩＩ（ｂ）線に沿う切断面を示す図。
【図１３】図６とは異なる態様の着物の正面図。
【考案を実施するための形態】
【００１７】
添付の図面を参照して、本考案に係る衣服の詳細を説明すると、以下のとおりである。
【００１８】
図１，２は、本考案に係る衣服の一例であるＴシャツ１０の正面図と背面図である。Ｔシャツ１０は、互いに直交する前後方向Ａと、横方向Ｂと、上下方向Ｃとを有する。Ｔシャツ１０はまた、前身頃１１と、後見頃１２と、横方向Ｂへ延びる左右一対の袖１４Ｌ，１４Ｒとを有し、図１，２においては、前後見頃１１，１２が前後方向Ａにおいて互いに重なり合った状態にある。また、前身頃１１と後見頃１２との襟部１１ａと１２ａとによって、ネックホール１５が形成されている。また、一体となった前身頃１１と後見頃１２とには、胴回り方向Ｐがある。前身頃１１には、胸ボタン１６が取り付けられていて、胸ボタン１６を使用することによって前身頃１１の一部分を開閉することができる。ただし、胸ボタン１６は、単なる飾りボタンであってもよい。Ｔシャツ１０では、図２に示されているように、襟部１２ａから右袖１４Ｒの付け根の近くを通り、右袖１４Ｒの下方に達した後にＴシャツ１０の右脇部１７を下降して裾１８にまで延びる分離部２０が形成されている。分離部２０には、後見頃１２にあって襟部１２ａから脇部１７にまで延びる第１分離部２０ａと、脇部１７を下降して裾１８にまで延びる第２分離部２０ｂとが含まれている。
【００１９】
図３は、図２におけるＩＩＩ−ＩＩＩ線切断面を示す模式的な図であって、分離部２０のうちの第１分離部２０ａの断面構造を示している。第１分離部２０ａでは、襟部１２ａを含む後見頃１２が横方向Ｂにおいて二分された状態にあって、互いに重なり合う内面部２１ａと外面部２１ｂとを有する。内面部２１ａと外面部２１ｂとは、これら両者間に介在する第１連結部材２５の作用によって分離と連結との反復が可能に形成されている。第１連結部材２５には、例えば雌雄一対のフック、ボタン、メカニカルファスナ等があり、図示例では、内面部２１ａに雌型のボタン２５ａが取り付けられ、外面部２１ｂに雄型のボタン２５ｂを取り付けられている。図２では、その第１連結部材２５が仮想線で示されている。
【００２０】
図４は、図２におけるＩＶ−ＩＶ線切断面を示す模式的な図であって、分離部２０のうちの第２分離部２０ｂの断面構造を示している。第２分離部２０ｂでは、後見頃１２が内面部２２ａとなり、前身頃１１が外面部２２ｂとなるように重なりあっている。ただし、後見頃１２には、横方向Ｂにおける折り返し部１２ｂが形成されていて、その折り返し部１２ｂが内面部２２ａとなって、外面部２２ｂである前身頃１１と互いに重なり合っている。内面部２２ａと外面部２２ｂとは、これら両部２２ａ，２２ｂの間に介在する第２連結部材２６の作用によって分離と連結との繰り返しが可能である。第２連結部材２６の一例には、雌雄一対の部材で構成されるメカニカルファスナやフック、ボタン等がある。図示例では、内面部２２ａに対してメカニカルファスナの雌部材２６ａが使用され、外面部２２ｂに対してはマジックテープ(登録商標)等の名称で知られるメカニカルファスナの雄部材２６ｂが使用されている。第２分離部２０ｂは直状に延びる部分であるから、メカニカルファスナには、上下方向Ｃにおいて適宜の長さを有するものを使用して、第２分離部２０ｂにおける開閉操作を容易にすることができる。必要ならば、上下方向Ｃにおいて、一連の長尺物を使用したり、長さの短いものを一列に並べて使用したりすることができる。図４において仮想線で示す前身頃１１とその一部分である外面部２２ｂとは、第２連結部材２６が開放されているときの状態を示している。
【００２１】
図５は、図１におけるＴシャツ１０について、後見頃１２をベッド等の平面(図示せず)の上に置き、分離部２０において第１，第２連結部材２５，２６を介して連結状態にあった内面部２１ａ，２２ａのそれぞれと外面部２１ｂ，２２ｂのそれぞれとをその第１，第２連結部材２５，２６において分離させ、後見頃１２の内表面２８と前見頃１１の内表面２７との大部分が露わとなるように、前身頃１１の一部分を図示の折曲線Ｆに沿って反転させたときの状態を示している。図において、後見頃１２では、分離部２０のうちの第１分離部２０ａにおける雌型ボタン２５ａが仮想線で示されており、分離部２０のうちの第２分離部２０ｂを形成している後見頃１２の折り返し部１２ｂには、メカニカルファスナの雌部材２６ａが実線で示されている。前身頃１１とともに横方向Ｂにおいて反転している後見頃１２の一部分では、第１分離部２０ａにおける雄型ボタン２５ｂが仮想線で示されている。また、前身頃１１の内面２７では、第２分離部２０ｂにおけるメカニカルファスナの雄部材２６ｂが実線で示されている。
【００２２】
図示の如くに前身頃１１を反転させることのできるＴシャツ１０では、それを着用しようとする者が寝たままの状態にあるならば、介護者の手を借りて、例えば次のような手順で着用することができる。すなわち、Ｔシャツ１０を図５の如くに広げて、仰向きになって寝ている者の左腕、右腕のそれぞれを袖１４Ｌ，１４Ｒのそれぞれに通す。次に、着用しようとする者は、右腕が下側となるようにして横臥の姿勢をとって、介護者はＴシャツ１０の後見頃１２を背中にあてる。次いで、着用しようとする者が再び仰向けの姿勢をとる一方、介護者は背中に回した後見頃１２を着用しようとする者の右脇のところにまで引き出して、第１分離部２０ａと第２分離部２０ｂとを連結する。このようにすることで、Ｔシャツ１０を着用することができる。
【００２３】
Ｔシャツ１０はまた、寝たままの状態にある者が、次のようにすることでも着用することができる。すなわち、ベッド(図示せず)の上で図５の如くに広げた状態のＴシャツ１０では、それを着用しようとする者が、まず側臥の姿勢で左腕を左袖１４Ｌに通す。次に、後見頃１２に背中を当てながら仰向けの姿勢に変えて、図５における前身頃１１の状態を図１の状態に戻しながら右腕を右袖１４Ｒに通す。しかる後に、分離部２０が閉じるように、第２分離部２０ｂにおけるメカニカルファスナの雌雄の部材２６ａ，２６ｂを係合させる。続いて、着用者の左腕が下側となるように上半身を少しだけ転がして、分離部２０の第１分離部２０ａにける雌雄のボタン２５ａ，２５ｂを閉じる。このようにすることによって、Ｔシャツ１０の着用が完了する。
【００２４】
Ｔシャツ１０は、前身頃１１と後見頃１２とが分離部２０において開閉するというものであるが、分離部２０のうちの第１分離部２０ａは、寝たままの状態にある着用者の背中側にあって着用者の前方、すなわち腹側からは見えることがない。また、分離部２０のうちの第２分離部２０ｂは、Ｔシャツ１０の脇部、例えば図示例の如き右脇部１７にあって、着用者の前方からは見えないか、目立ちにくいばかりでなく、その右脇部１７では、前身頃１１が外側となり、後見頃１２が内側となるようにして重ね合わせてあることによって、Ｔシャツ１０が側方から見られる場合であっても、Ｔシャツ１０の優れた外観を損ねることがなく、その時の観者にＴシャツ１０に固有の好印象を与えることができる。
【００２５】
本考案に係る衣服の一例には、和服がある。図６，７は、その和服である着物１１０の正面図と背面図である。着物１１０は、女性用のものとして図示されているが、男性用のものであってもよい。その着物１１０は、互いに直交する前後方向Ａと横方向Ｂと上下方向Ｃとを有することに加え、胴回り方向Ｐを有している。図６，７では、着用者１の頭部２と足部３とが仮想線で示されている。着物１１０はまた、左前身頃１１１Ｌと右前身頃１１１Ｒとを含む前身頃１１１、および後見頃１１２を有し、左前身頃１１１Ｌと後見頃１１２とには左袖１１４Ｌが取り付けられ、右前身頃１１１Ｒと後見頃１１２とには右袖１１４Ｒが取り付けられている。また、前身頃１１１には半襟１１１ｂを含む前襟部１１１ａがあり、後見頃１１２には前襟部１１１ａにつながる後襟部１１２ａがある。左袖１１４Ｌでは、袂１１３Ｌが垂れ下がり、右袖１１４Ｒでは、袂１１３Ｒが垂れ下がっている。左前身頃１１１Ｌでは、左袖１１４Ｌの付け根の下方に身八ツ口１３２Ｌが形成され、右前身頃１１１Ｒでは、右袖１１４Ｒの付け根の下方に身八ツ口１３２Ｒが形成されている。図６において、前身頃１１１には、帯揚げ１３１ａと帯締め１３１ｂとを含む帯状部材１３１が取り付けられている。一方、図７においては、帯状部材１３１の両端部１３１ｅのみが見えている。このように、帯状部材１３１は、胴回り方向Ｐへ延びるものであるが、前身頃１１１では、前身頃１１１を横断して横方向Ｂへ延び、後見頃１１２では、後見頃１１２を横断することなく、後見頃１１２の両側部分に帯状部材１３１の端部１３１ｅのみが存在している。後見頃１１２に見えている端部１３１ｅの横方向Ｂ、換言すると胴回り方向Ｐの寸法は、図示例に限らず、短くすることができる。
【００２６】
図８，９は、帯状部材１３１が外してあるときの着物１１０の正面図と背面図である。図８では、前身頃１１１において、帯状部材１３１で隠されていた襟部１１１ａの一部が見えている。図９では、後見頃１１２の両側部分に、帯状部材１３１の両端部１３１ｅのそれぞれを固定するための、本発明においての固定用第１部材の一例である雌型ボタン１３２ａの複数個が上下方向Ｃに延びる列を作るように並んでいる。雌型ボタン１３２ａの列は、帯状部材１３１における後記雄型ボタン１３２ｂが着脱するもので、帯部材１２１の横方向Ｂの寸法に対応するように適宜その位置を変更することができる。図９ではまた、着物１１０を着用するときに使用する分離部１２０が見えている。すなわち、図９の後見頃１１２において、後襟部１１２ａから袖１１４Ｒの付け根の部分にまで、換言すると、後襟部１１２ａから身八ツ口１３２Ｒの頂部にまで延びる第１分離部１２０ａが分離部１２０の一部分として示されている。分離部１２０はまた、身八ツ口１３２Ｒの下方に位置する着物１１０の右脇部１１７Ｒを通って着物１１０の裾１１８にまで延びる第２分離部１２０ｂを含んでいる。その第２分離部１２０ｂは、身八ツ口１３２Ｒを介して第１分離部１２０ａにつながっている。
【００２７】
図１０は、図９におけるＸ−Ｘ線矢視図であって、分離部１２０のうちの第１分離部１２０ａの内部構造を示している。ただし、図１０では、着物１１０に使用されている様々な布地の図示は省略されている。また、着用者１の図示も省略されている。第１分離部１２０ａは、後見頃１１２の一部分を二分割するように分離させている部分であって、着用者１の肌側に位置する第１内面部１２１ａと、第１内面部１２１ａに着物１１０の外側から重なる第１外面部１２１ｂとを有する。第１内面部１２１ａと第１外面部１２１ｂとは、これら両者間に介在する第１連結部材１２５の作用によって、分離と連結との繰り返しが可能に形成されている。図示例では、第１内面部１２１ａに雌型のボタン１２５ａが取り付けられ、第１外面部１２１ｂには雄型のボタン１２５ｂが取り付けられている。
【００２８】
図１１は、図８におけるＸＩ−ＸＩ線矢視図であって、分離部１２０のうちの第２分離部１２０ｂの内部構造を示している。第２分離部１２０ｂでは、後見頃１１２が内面部１２２ａとなり、前身頃１１１のうちの右前身頃１１１Ｒが外面部１２２ｂとなるように重なり合っている。ただし、後見頃１１２には、横方向Ｂにおける折り返し部１１２ｂが形成されていて、その折り返し部１１２ｂが内面部１２２ａとなって、外面部１２２ｂである右前身頃１１１Ｒと重なり合い、第２分離部１２０ｂを形成している。内面部１２２ａと外面部１２２ｂとは、これらの間に介在する第２連結部材１２６の作用によって、分離と連結との繰返しが可能である。図示例では、その第２連結部材１２６として、内面部１２２ａに対してはマジックテープ（登録商標）等の名称で知られているメカニカルファスナの雌部材１２６ａが使用され、外面部１２２ｂに対しては、そのメカニカルファスナの雄部材１２６ｂが使用されている。第２分離部１２０ｂは上下方向Ｃへ直状に延びる部分であるから、メカニカルファスナには上下方向Ｃにおいて適宜の長さを有する雌雄一対または複数対のものを使用することが好ましい。
【００２９】
このように形成されている着物１１０は、左前身頃１１１Ｌと右前身頃１１１Ｒとが分離することがないように一体化されているものであるが、前身頃１１１のうちの例えば右前身頃１１１Ｒと後見頃１１２とが分離部１２０において分離と連結との繰り返しが可能なものであって、その構造と着脱の仕方は通常の着物と全く異なるものであるから、着物１１０は着物様、または着物風の衣服と呼ぶことができるものでもある。そのような着物１１０の構造は、基本的には図１に例示のＴシャツ１０と同じであるから、着物１１０を着用しようとする者が寝たままの状態にあっても、Ｔシャツ１０の場合と同様な手順で、容易に着脱することができる。それのみならず、着用状態にあるときの着物１１０は、正面視においても側面視においてもその構造が外観上に現れることがなく、和服である着物に固有の外観を備え、着物１１０と着物１１０の着用者１とは、観者に対して着物１１０に固有の美的な印象を与えることが可能になる。
【００３０】
図１２の（ａ），（ｂ）は、帯状部材１３１の平面図と、その平面図のＸＩＩ（ｂ）−ＸＩＩ（ｂ）線切断面を示す図である。帯状部材１３１は、平面視がほぼ矩形のもので、帯揚げ１３１ａや帯締め１３１ｂ等の装飾部材が適宜取り付けられる。図１２（ｂ）に示されているように、帯状部材１３１は、表地１３１ｃと裏地１３１ｄとの間に剛性があって弾性変形可能な芯材１４０を有する。芯材１４０は、前後方向Ａの前方に向かって凸となるように弧を画いている。芯材１４０に倣って弧を画いている帯状部材１３１は、裏地１３１ｄの側に、横方向Ｂにおいて対向するように突出している複数の雄ボタン１３２ｂを含んでいる。雄ボタン１３２ｂは本発明における固定用第２部材である。かような帯状部材１３１は、芯材１４０として弾性変形可能で剛性のある、例えば厚さが０．５〜２ｍｍのプラスチック板材で作られることによって、矢印Ｙ（図１２（ｂ）参照）で示す方向へ、すなわち横方向Ｂにおける寸法が大きくなるように、換言すると弧が大きくなるように弾性変形可能な状態にある。一方、着物１１０の後見頃１１２には、帯状部材１３１における雄ボタン１３２ｂが着脱可能に係合する固定用第１部材としての雌ボタン１３２ａ（図９参照）が取り付けられている。着物１１０が着用状態にあるときに、帯状部材１３１を図１２（ｂ）に例示の如く弾性変形させながらその着物１１０の所要部位にあてがったなら、次には弧が小さくなるような弾性的な復元力を作用させて、雌雄のボタン１３２ａと１３２ｂとを嵌合させる。こうすることによって、帯状部材１３１を図６に例示の如き態様で着用することができる。そのように着用した帯状部材１３１は、弾性的な復元力によって着物１１０に密着しようとするときに、着物１１０をあたかもしっかりと締め付けているような印象を観者に与えることができる。このときの帯状部材１３１は、胴回り方向Ｐにおいて閉じた状態にある分離部１２０をまたいで着物１１０に取り付けられた状態にあることによって、着用者が身体を動かしたりすることによって、分離部１２０が意図しないにもかかわらず開いた状態になるというトラブルを未然に防ぐことができる。雌雄のボタン１３２ａ，１３２ｂにおいて、図９に雌ボタン１３２ａで例示したように上下方向Ｃに並ぶ複数のボタンは、そのうちの一つだけをその他のボタンとはサイズの違うものにしておくと、その他のボタンは着物１１０に対する帯状部材１３１の位置決め手段となる。雌雄のボタン１３２ａ、３２ｂがそのように構成されていると、着物１１０に対して、帯状部材１３１が上にずれたり、下にずれたりするような誤った取り付け状態になることを防ぐことができる。また、帯状部材１３１において上下方向Ｃに並ぶ雄ボタン１３２ｂの列は、その列のサイズに応じて適宜の列を選ぶことが可能になり、帯状部材１３１を着用者１の胴回りにフィットさせることが容易になる。
【００３１】
図１３は、本考案に係る衣服の一つである着物２１０の正面図である。着物２１０は、図６の着物１１０と同じ構造を有するものであるが、帯状部材１３１を着用しておらず、袴２５０を着用した状態にあることにおいてのみ着物１１０と異なっている。その袴２５０は、着物２１０の前身頃２１１と後見頃２１２とに縫い付けられて着物２１０と一体化しており、着物２１０からは取り外すことができない。このような着物２１０には、図６の着物１１０の分離部１２０と同じ態様の分離部２２０が形成されている。そのような分離部２２０には、第１分離部２２０ａと第２分離部２２０ｂとがある。第１分離部２２０ａは、後見頃２１２に形成され、第２分離部２２０ｂは、着物２１０の右脇部２１７Ｒに形成されている。第２分離部２２０ｂは、袴２５０にも形成されている。かような袴２５０は、第２分離部２２０ｂに並行する態様で右前身頃２１１Ｒと後見頃２１２とのそれぞれに縫合されている。このように形成されている着物２１０は、分離部２２０において前身頃２１１と後見頃２１２との間に介在する連結部材（図示せず）の連結を解くことによって、袴２５０と一体の前身頃２１１を図５に例示のＴシャツ１０と同様に、展開することができる。それゆえ、着物２１０は、着物１１０やＴシャツ１０と同様に、着用しようとする者が寝たままの状態にあっても容易に着脱することができて、着用したときには、着物２１０による着飾った様子を十分に楽しんだり、観者に対して着物２１０に固有の美的な印象を与えたりすることができる。袴２５０は、着物２１０に対して取り外し不能な状態で縫合されているのみならず、右側方には分離部２２０が形成されているものであるから、実用性のあるものではなく、袴に似せた装飾部材と呼ぶことのできるものである。
【００３２】
このように衣服の後見頃と脇部とに分離部を有する本考案の衣服は、図示例の衣服に限らず、襟部と一対の袖とを有する衣服において広く実施することができる。そのような衣服には、図示例の他に、詰襟を有する学生服や、セーラー服型の学生服、ワイシャツやネクタイと一体のスーツ等の衣服も含まれる。
【符号の説明】
【００３３】
１        衣服の着用者
１０      衣服（Ｔシャツ）
１１      前身頃
１１ａ    襟部
１２      後身頃
１２ａ    襟部
１２ｂ    折り返し部
１３      ネックホール
１４，１４Ｌ，１４Ｒ      袖
１７      脇部
２０，２０ａ，２０ｂ    分離部
２５，２５ａ，２５ｂ    連結部材
２６，２６ａ，２６ｂ    連結部材
１１０    衣服(着物)
１１１    前身頃
１１１Ｌ  左前身頃
１１１Ｒ  右前身頃
１１２    後見頃
１１２ａ  襟部
１１２ｂ  折り返し部
１１４Ｌ，１１４Ｒ  袖
１１７Ｒ  脇部
１１８    裾
１２０，１２０ａ，１２０ｂ    分離部
１２１ａ  内面部
１２１ｂ  外面部
１２２ａ  内面部
１２１ｂ  外面部
１２６    連結部材
１３１    帯状部材
１３２ａ  雌ボタン（固定用第１部材）
１３２ｂ  雄ボタン（固定用第２部材）
１４０    芯材
２１０    着物
２１１，２１１Ｌ，２１１Ｒ  前身頃
２１２    後見頃
２２０，２２０ａ，２２０ｂ  分離部
２５０    袴（装飾部材）
Ａ        前後方向
Ｂ        横方向
Ｃ        上下方向
Ｐ        胴回り方向
【図１】
0003233572.tif 000003
【図２】
0003233572.tif 000004
【図３】
0003233572.tif 000005
【図４】
0003233572.tif 000006
【図５】
0003233572.tif 000007
【図６】
0003233572.tif 000008
【図７】
0003233572.tif 000009
【図８】
0003233572.tif 000010
【図９】
0003233572.tif 000011
【図１０】
0003233572.tif 000012
【図１１】
0003233572.tif 000013
【図１２】
0003233572.tif 000014
【図１３】
0003233572.tif 000015